(57)【特許請求の範囲】
【請求項１】
各々に無音時間情報が割り当てられた複数のカテゴリを示すメニューを表示する表示手段、
前記表示手段によって表示されたメニュー上で所望のカテゴリを選択する選択操作を受け付ける受付手段、
記録媒体に記録された複数のオーディオコンテンツを前記選択操作を受け付けた後に順に再生する再生手段、
前記再生手段によって連続的に再生される２つのオーディオコンテンツの間に前記選択操作によって選択されたカテゴリに割り当てられた無音時間情報に従う無音時間を形成する形成手段を備える、オーディオ再生装置。
【請求項２】
前記無音時間情報は、直前に再生されたオーディオコンテンツの再生時間に対する比率を示す第１パラメータ、および時間の長さを示す第２パラメータに基づいて規定される、請求項１記載のオーディオ再生装置。
【請求項３】
前記選択操作によって選択されたカテゴリがライブ演奏に対応するコンテンツを想定したカテゴリであるとき、前記第１パラメータおよび前記第２パラメータの両方をゼロとするようにした、請求項２記載のオーディオ再生装置。
【請求項４】
前記選択操作によって選択されたカテゴリがオペレータに練習を促す練習用コンテンツを想定したカテゴリであるとき、前記第１パラメータを任意の値とし、前記第２パラメータをゼロとするようにした、請求項２または３記載のオーディオ再生装置。
【請求項５】
前記選択操作によって選択されたカテゴリが互いに独立した観賞用コンテンツを想定したカテゴリであるとき、前記第１パラメータをゼロとし、前記第２パラメータを任意の値とするようにした、請求項２ないし４のいずれかに記載のオーディオ再生装置。
【請求項６】
前記複数のオーディオコンテンツのいずれか１つを選択する選択手段、および
前記選択手段によって選択された前記オーディオコンテンツが再生された後の前記無音時間を任意の時間に設定する設定手段をさらに備える、請求項１ないし５のいずれかに記載のオーディオ再生装置。
【請求項７】
前記記録媒体は着脱可能であり、
前記無音時間情報は前記記録媒体に記録される、請求項１ないし６のいずれかに記載のオーディオ再生装置。
【請求項８】
前記形成手段によって無音時間が形成されるとき省電力モードに移行する移行手段をさらに備える、請求項１ないし７のいずれかに記載のオーディオ再生装置。
【発明の詳細な説明】
【０００１】
【産業上の利用分野】
この発明は、オーディオ再生装置に関し、特にたとえば、記録媒体に記録された複数のオーディオコンテンツを再生する、オーディオ再生装置に関する。
【０００２】
【従来技術】
この種のオーディオ再生装置においては、一般に、任意のオーディオコンテンツの再生が完了した後、次のオーディオコンテンツを再生するまでの間に、無音時間を設けている。従来のオーディオ再生装置では、この無音時間を数秒程度という一定の時間に固定していた。
【０００３】
【発明が解決しようとする課題】
しかし、無音時間が一定であると、たとえばオーディオコンテンツとしてライブ演奏の曲を再生するとき、これらの曲を連続的（シームレス）に聴取したくても強制的に無音時間が挿入されてしまい、非常に違和感があるという問題がある。また、オーディオコンテンツとしてたとえば英会話などの語学練習用の会話や、楽器の練習用のフレーズを再生する場合には、比較的に長い無音時間を設けたいことがある。しかし、従来のオーディオ再生装置では、このような比較的に長い無音時間を設けようとすると、一時停止ボタンを押下するなどによって再生動作を停止させる必要があり、非常に面倒であった。
【０００４】
それゆえに、この発明の主たる目的は、オーディオコンテンツを快適に聴取できる、オーディオ再生装置を提供することである。
【０００５】
【課題を解決するための手段】
この発明は、各々に無音時間情報が割り当てられた複数のカテゴリを示すメニューを表示する表示手段、表示手段によって表示されたメニュー上で所望のカテゴリを選択する選択操作を受け付ける受付手段、記録媒体に記録された複数のオーディオコンテンツを選択操作を受け付けた後に順に再生する再生手段、再生手段によって連続的に再生される２つのオーディオコンテンツの間に選択操作によって選択されたカテゴリに割り当てられた無音時間情報に従う無音時間を形成する形成手段を備える、オーディオ再生装置である。
【０００６】
【作用】
各々に無音時間情報が割り当てられた複数のカテゴリを示すメニューは、表示手段によって表示される。受付手段は、表示手段によって表示されたメニュー上で所望のカテゴリを選択する選択操作を受け付ける。記録媒体に記録された複数のオーディオコンテンツは、選択操作を受け付けた後に再生手段によって順に再生される。形成手段は、再生手段によって連続的に再生される２つのオーディオコンテンツの間に選択操作によって選択されたカテゴリに割り当てられた無音時間情報に従う無音時間を形成する。
【０００７】
無音時間情報は、好ましくは、直前に再生されたオーディオコンテンツの再生時間に対する比率を示す第１パラメータ、および時間の長さを示す第２パラメータに基づいて規定される。
【０００８】
ある局面では、選択操作によって選択されたカテゴリがライブ演奏に対応するコンテンツを想定したカテゴリであるとき、第１パラメータおよび第２パラメータの両方はゼロとされる。複数のオーディオコンテンツは切れ目なく再生され、オーディオコンテンツを違和感なく鑑賞することができる。
【０００９】
他の局面では、選択操作によって選択されたカテゴリがオペレータに練習を促す練習用コンテンツを想定したカテゴリであるとき、第１パラメータは任意の値とされ、第２パラメータはゼロとされる。これによって、練習時の煩わしいボタン操作が不要となる。
【００１０】
その他の局面では、選択操作によって選択されたカテゴリが互いに独立した観賞用コンテンツを想定したカテゴリであるとき、第１パラメータはゼロとされ、第２パラメータは任意の値とされる。これによって、いずれの無音時間も一定とされ、快適な鑑賞が可能となる。
【００１１】
複数のオーディオコンテンツのいずれか１つを選択手段によって選択し、選択されたオーディオコンテンツが再生された後の無音時間を設定手段によって任意の時間に設定するようにすれば、無音時間を個別に微調整することができる。
【００１２】
記録媒体を着脱可能とし、無音時間情報を記録媒体に記録するようにした場合、別のオーディオ再生装置でも快適な聴取が可能となる。
【００１３】
形成手段によって無音時間が形成されるとき、移行手段によって省電力モードに移行するようにすれば、消費電力を抑えることができる。
【００１４】
【発明の効果】
この発明によれば、再生手段を不能化する時間を複数のオーディオコンテンツが属するカテゴリに応じた態様で設定するようにしたため、オーディオコンテンツを快適に聴取することができる。
【００１５】
この発明の上述の目的，その他の目的，特徴および利点は、図面を参照して行う以下の実施例の詳細な説明から一層明らかとなろう。
【００１６】
【実施例】
図１を参照して、この実施例の携帯型オーディオ再生装置１０は、メモリカード１２に記録されている複数曲のオーディオデータを再生するためのものである。また、この携帯型オーディオ再生装置１０は、任意の曲のオーディオデータを再生した後、次の曲のオーディオデータを再生するまでの間に、無音時間ＳＴを設ける。この無音時間ＳＴは、後述するαおよびβという各パラメータによって決定され、これらのパラメータαおよびβは、各曲のオーディオデータ毎に関連づけられた状態でメモリカード１２に記録される。
【００１７】
図２を参照して、メモリカード１２には、複数の曲にそれぞれ対応する複数の音楽ファイル，ここでは曲［１］，曲［２］，曲［３］および曲［４］という４曲分の音楽ファイル１２０，１２２，１２４および１２６が記録されている。そして、各音楽ファイル１２０〜１２６に格納されたオーディオデータは、一般に知られているＭＰ３（MPEG-1 AUDIO Layer 3）やＡＡＣ（MPEG-2 Advanced Audio Coding）などの所定の圧縮フォーマットに従って圧縮されている。また、各音楽ファイル１２０〜１２６には、オーディオデータの圧縮フォーマットに対応するデコードソフトウェア（復号プログラム）も格納されている。
【００１８】
メモリカード１２には、音楽ファイル１２０〜１２６以外に、再生リストファイル１２８という別のファイルも記録されている。図３を参照して、再生リストファイル１２８には、曲番号（トラック番号）ｎに対応させた状態で、それぞれのオーディオデータを再生する順番ｍ，曲名，アーティスト名，再生時間Ｔ(n)，上述した各パラメータαおよびβを表す情報が格納されている。なお、同図は、▲１▼曲［４］→▲２▼曲［１］→▲３▼曲［３］→▲４▼曲［２］の順に、各オーディオデータを再生する順番ｍが設定されている例を示す。
【００１９】
メモリカード１２は、着脱自在な記録媒体であり、携帯型オーディオ再生装置１０は、このメモリカード１２を装着するためのスロット１４を備えている。メモリカード１２に記録されている各曲のオーディオデータを再生するには、まず、メモリカード１２をスロット１４に装着する。これによって、メモリカード１２は、メモリインタフェース１６を介してＣＰＵ（Central Processing Unit）１８と電気的に接続される。このとき、ＣＰＵ１８は、メモリインタフェース１６を介してメモリカード１２から再生リストファイル１２８を取り込む。これによって、ＣＰＵ１８は、メモリカード１２にどのような曲のオーディオデータが記録されているのか、およびこれらのオーディオデータをどのような順番ｍで再生すればよいのか、さらにはパラメータαおよびβとしてどのような値が設定されているのかを認識する。そして、ＣＰＵ１８は、操作キー２０からの再生開始命令に応答して、具体的には操作キー２０を構成する後述の再生／停止キー２０２の押下に応答して、オーディオデータの再生動作を開始する。
【００２０】
すなわち、再生／停止キー２０２が押下されると、ＣＰＵ１８は、再生リストファイル１２８内の再生順ｍに従って、最初（ｍ＝１）の曲，ここでは曲［４］の音楽ファイル１２０を、メモリインタフェース１６を介してメモリカード１２から取り込む。そして、ＣＰＵ１８は、取り込んだ音楽ファイル１２０内に格納されている圧縮状態のオーディオデータとデコードソフトウェアとをＤＳＰ（Digital Signal Processor）２２に供給する。
【００２１】
ＤＳＰ２２は、ＣＰＵ１８から供給されたデコードソフトウェアを用いてオーディオデータを伸長（復号）し、伸長後のオーディオデータを、Ｄ／Ａ変換器２４に入力する。Ｄ／Ａ変換器２４は、入力されたオーディオデータをアナログのオーディオ信号に変換し、この変換後のオーディオ信号を、オーディオアンプ２６に入力する。オーディオアンプ２６に入力されたオーディオ信号は、ここで増幅された後、出力端子２８を介してヘッドフォン３０に入力され、これによって、曲［４］のオーディオデータが再生される。
【００２２】
なお、ＣＰＵ１８を始めとするこの携帯型オーディオ再生装置１０の各構成要素（回路）は、バッテリ３２を主電源とする電源回路３４から供給される電源電圧Ｖccによって駆動される。また、ＣＰＵ１８には、後述するディスプレイ３６，ＥＥＰＲＯＭ３８および外部インタフェース４０を介してＵＳＢ（Universal Serial Bus）端子４２が、各々接続されている。
【００２３】
曲［４］のオーディオデータの再生が完了すると、ＣＰＵ１８は、当該曲［４］のパラメータαおよびβに基づいて、無音時間ＳＴを算出する。この無音時間ＳＴの算出は、次の数１による。
【００２４】
【数１】
ＳＴ＝Ｔ(n)×α＋β
ここで、Ｔ(n)は、トラック番号ｎの曲の再生時間（秒）である。また、αの単位は“％”であり、βの単位は“秒”である。
【００２５】
ＣＰＵ１８は、この数１に基づいて算出した無音時間ＳＴだけ、オーディオデータの再生動作を中断し、無音状態を形成する。これと同時に、ＣＰＵ１８は、無音時間ＳＴが経過するまでの間、ＤＳＰ２２，Ｄ／Ａ変換器２４およびオーディオアンプ２６に対する電源電圧Ｖccの供給を停止するよう、電源回路３４を制御する。これによって、無音時間ＳＴ中の携帯型オーディオ再生装置１０の消費電力が低減され、いわゆるパワーセーブされる。
【００２６】
上述の無音時間ＳＴが経過すると、ＣＰＵ１８は、パワーセーブを解除する。そして、再生リストファイル１２８内の再生順ｍに従って、次（ｍ＋１）の曲，ここでは曲［１］の音楽ファイル１２２を、メモリインタフェース１６を介してメモリカード１２から取り込む。これ以降は、上述と同様の手順に従って、曲［１］のオーディオデータが再生され、この再生後、曲［１］のパラメータαおよびβに基づく無音時間ＳＴが形成される。そして、他の曲［３］および曲［２］についても、同様に、オーディオデータが再生された後、無音時間ＳＴが形成される。この再生動作を停止するには、再度、再生／停止キー２０２を押下すればよい。
【００２７】
図４を参照して、上述の再生／停止キー２０２を含む操作キー２０は、携帯型オーディオ再生装置１０本体の正面下方側の部分に設けられている。そして、操作キー２０の上方側の部分に、液晶のディスプレイ３６が設けられている。
【００２８】
操作キー２０は、２段３列に配置された６つの押しボタンキー２０２〜２１２から成り、このうち再生／停止キー２０２は、上段中央部に設けられている。そして、この再生／停止キー２０２を間に挟んで両端に、ＦＦ（Fast-Forward：早送り）キー２０４およびＲＥＷ（Rewind：早戻し）キー２０６が配置されている。
【００２９】
これらのＦＦキー２０４およびＲＥＷキー２０６は頭だしのためのキーであり、これによって、再生リストファイル１２８内の再生順ｍに関係なく、これから再生しようとする曲のオーディオデータを任意に指定することができる。具体的には、ＦＦキー２０４を押下すると、ＣＰＵ１８は、これから再生しようとする曲のオーディオデータを、再生リストファイル１２８内の再生順ｍに従う方向で順次切り替える。一方、ＲＥＷキー２０６を押下すると、ＣＰＵ１８は、これから再生しようとする曲のオーディオデータを、再生リストファイル２８内の再生順ｍとは逆の方向に従って順次頭出しする。このようにしてこれから再生しようとする曲のオーディオデータを頭出しした後、再生／停止キー２０２を押下すると、ＣＰＵ１８は、その曲から順に各オーディオデータを上述したのと同様の手順で再生する。
【００３０】
また、操作キー２０を構成する各キー２０２〜２１２のうち、下段の中央と右端には、それぞれオーディオデータを再生するときの音量を調整するための音量アップキー２０８および音量ダウンキー２１０が配置されている。すなわち、中央に配置された音量アップキー２０８を押下すると、ＣＰＵ１８は、ＤＳＰ２２に対して音量を上げるよう指示する。この指示に従って、ＤＳＰ２２は、現在よりも大きい音量でオーディオデータを再生するための処理を行う。一方、右端に配置された音量ダウンキー２１０を押下すると、ＣＰＵ１８は、ＤＳＰ２２に対して音量を下げるよう指示する。この指示に従って、ＤＳＰ２２は、現在よりも小さい音量でオーディオデータを再生するための処理を行う。
【００３１】
そして、各キー２０２〜２１２のうち、下段の左端には、次に説明する設定モードに入るためのモード切替キー２１２が配置されている。
【００３２】
すなわち、この実施例の携帯型オーディオ再生装置１０では、上述した各パラメータαおよびβを任意に設定することができる。このパラメータαおよびβの設定のためにモード切替キー２１２を押下すると、ＣＰＵ１８は、ディスプレイ３６に図４に示すような設定メニュー画面を表示する。
【００３３】
同図に示すように、設定メニュー画面においては、上側に、ＣＰＵ１８が設定モードに入ったことを表す「[SPACE SET]」という横書きの文字列３０２が表示される。そして、この文字列３０２の下側に、各々「AUTO」，「FIX」，「FLEX」，「TRACK」および「CLEAR」という５つのメニュー内容を表す横書きの文字列３０４，３０４，・・・が上下方向に沿って２列に表示される。さらに、文字列３０４，３０４，・・・のいずれか１つを囲むように、矩形のカーソル３０６が表示される。このカーソル３０６は、音量アップキー２０４および音量ダウンキー２０６の操作によって、任意に移動させることができる。具体的には、音量アップキー２０４を押下する度に、カーソル３０６は、「AUTO」→「FIX」→「FLEX」→「TRACK」→「CLEAR」→「AUTO」という順に各々の文字列３０４を囲むように移動する。これに対して、音量ダウンキー２０６を押下すると、カーソル３０６は、「AUTO」→「CLEAR」→「TRACK」→「FLEX」→「FIX」→「AUTO」という順に各々の文字列３０４を囲むように移動する。なお、同図は、カーソル３０６が「AUTO」という文字列３０４を囲んでいる状態を示す。
【００３４】
ここで、図４に示すようにカーソル３０６が「AUTO」を囲んだ状態で再生／停止キー２０２が押下されると、すなわち「AUTO」というメニューが選択されると、ディスプレイ３６の表示は、図５に示す自動設定画面に遷移する。
【００３５】
自動設定画面においては、上側に、「AUTO」メニューが選択されたことを表す「［AUTO SET］」という横書きの文字列３１２が表示される。そして、この文字列３１２の下側に、各々「CD」，「LIVE」および「PRACTICE」という３つのカテゴリを表す横書きの文字列３１４，３１４，３１４が縦1列に表示される。さらに、これら各文字列３１４，３１４，３１４のいずれか１つを囲むように、矩形のカーソル３１６が表示される。なお、このカーソル３１６もまた、上述の設定メニュー画面におけるカーソル３０６と同様、音量アップキー２０４および音量ダウンキー２０６の操作によって、任意に移動させることができる。
【００３６】
ここで、図５に示すように、「CD」をカーソル３１６で囲んだ状態で再生／停止キー２０２を押下すると、すなわち「CD」というカテゴリを選択すると、ＣＰＵ１８は、全ての曲（トラック）について、パラメータαを“０”に設定するとともに、パラメータβを“４”に設定する。これによって、いずれの曲間の無音時間ＳＴも４秒に設定される。この設定は、互いに独立した複数曲のオーディオデータを再生するのに適している。
【００３７】
一方、図５の状態において「LIVE」というカテゴリを選択すると、ＣＰＵ１８は、全ての曲について、パラメータαおよびβの両方を“０”に設定する。これによって無音時間ＳＴが無くなる。この設定は、たとえばライブ演奏のように各曲のオーディオデータをシームレスで再生するのに適している。
【００３８】
他方、図５の状態において「PRACTICE」というカテゴリを選択すると、ＣＰＵ１８は、全ての曲について、パラメータαを“１２０”に設定し、パラメータβを“０”に設定する。これによって、無音時間ＳＴは、直前に再生されたオーディオデータの再生時間Ｔ(n)の１２０％の時間に設定される。この設定は、たとえば英会話などの語学練習用の会話や、楽器の練習用のフレーズを再生するのに適している。
【００３９】
この図５の自動設定画面においていずれかのカテゴリを確定すべく再生／停止キー２０２を押下すると、ディスプレイ３６の表示は、図４の設定メニュー画面に戻る。また、図５の状態で、再生／停止キー２０２ではなくモード切替キー２１２を押下した場合には、パラメータαおよびβの設定は行われず、ディスプレイ３６の表示は、図４の設定メニュー画面に戻る。
【００４０】
図４の設定メニュー画面で、「FIX」というメニューを選択すると、ディスプレイ３６の表示は、図６に示すような固定設定画面に遷移する。同図に示すように、この固定設定画面においては、上側に、図４の設定メニュー画面で「FIX」メニューが選択されたことを表す「［FIX SET］」という横書きの文字列３２２が表示される。そして、この文字列３２２の下側に、「SET 0-99 sec」という横書きの文字列３２４が表示される。さらに、この文字列３２４の下側に、カッコ３２６を含む「<  >sec」という文字列３２８が表示される。なお、カッコ３２６内には、音量アップキー２０８および音量ダウンキー２１０の操作によって、０〜９９の範囲内で任意の数値を入力することができる。
【００４１】
すなわち、この図６に示す固定設定画面は、各パラメータαおよびβのうち、パラメータαについては“０”を設定し、パラメータβのみをβ＝０〜９９の範囲内で任意に設定するための画面である。具体的には、音量アップキー２０８を押下すると、カッコ３２６内の数値が増加する。これに対して、音量ダウンキー２１０を押下すると、カッコ３２６内の数値が減少する。なお、同図は、カッコ３２６内に「０８」という数値が入力されている状態を示す。そして、カッコ３２６内に任意の数値を入力した状態で、再生／停止キー２０２を押下すると、ＣＰＵ１８は、全ての曲について、パラメータαとして“０”を設定するとともに、パラメータβとしてカッコ３２６内に入力された数値を設定する。これによって、各曲のオーディオデータを再生するときの無音時間ＳＴは、β秒に設定される。なお、このパラメータβとして“４”という数値を入力した場合には、無音時間ＳＴは４秒となり、上述した自動設定画面において「CD」を選択した場合と等価になる。また、パラメータβとして“０”を設定した場合には、無音時間ＳＴは０秒となり、上述した自動設定画面において「LIVE」を選択した場合と等価になる。
【００４２】
この図６の固定設定画面においてパラメータβの設定を完了すべく再生／停止キー２０２を押下すると、ディスプレイ３６の表示は、図４の設定メニュー画面に戻る。また、図６の状態で、再生／停止キー２０２ではなくモード切替キー２１２を押下した場合には、パラメータαおよびβの設定は行われず、そのまま図４の設定メニュー画面に戻る。
【００４３】
そして、図４の設定メニュー画面で、「FLEX」というメニューを選択するとする。すると、ディスプレイ３６の表示は、図７に示すような可変設定画面に遷移する。同図に示すように、この可変設定画面においては、上側に、図４の設定メニュー画面で「FLEX」というメニューが選択されたことを表す「［FLEX SET］」という横書きの文字列３３２が表示される。そして、この文字列３３２の下側に、「SET 0-300 %」という横書きの文字列３３４が表示される。さらに、この文字列３３４の下側に、カッコ３３６を含む「<  >sec」という文字列３３８が表示される。なお、カッコ３３６内には、音量アップキー２０８および音量ダウンキー２１０の操作によって、０〜３００の範囲内で任意の数値を入力することができる。
【００４４】
すなわち、この図７に示す可変設定画面は、各パラメータαおよびβのうち、βについては“０”を設定し、パラメータαのみを“０”〜“３００”の範囲内で任意に設定するための画面である。具体的には、音量アップキー２０８を押下すると、その押下の度にカッコ３３６内の数値が増加する。一方、音量ダウンキー２１０を押下すると、その押下の度にカッコ３３６内の数値が減少する。なお、同図は、カッコ３３６内に「１０」という数値が入力されている状態を示す。そして、カッコ３３６内に任意の数値を入力した状態で、再生／停止キー２０２を押下すると、ＣＰＵ１８は、全ての曲について、パラメータαとしてカッコ３３６内に入力された数値を設定するとともに、パラメータβとして“０”を設定する。これによって、各曲のオーディオデータを再生するときの無音時間ＳＴが、Ｔ(n)×α秒に設定される。なお、このパラメータαとして“０”を設定した場合には、無音時間ＳＴは０秒となり、上述した自動設定画面において「LIVE」を選択した場合と等価になる。また、パラメータαとして“１２０”を入力した場合には、無音時間ＳＴはＴ(n)×１．２秒となり、上述した自動設定画面において「PRACTICE」を選択した場合と等価になる。
【００４５】
この図７の可変設定画面においてパラメータαの設定を完了すべく再生／停止キー２０２を押下すると、ディスプレイ３６の表示は、図４の設定メニュー画面に戻る。また、図７の状態において再生／停止キー２０２ではなくモード切替キー２１２を押下した場合には、パラメータαおよびβの設定は行われず、そのまま図４の設定メニュー画面に戻る。
【００４６】
さらに、図４の設定メニュー画面で「CLEAR」メニューを選択すると、ディスプレイ３６の表示は、図８に示すような設定クリア画面に遷移する。この設定クリア画面においては、上側に、図４の設定メニュー画面で「CLEAR」メニューが選択されたことを表す「［CLEAR］」という横書きの文字列３４２が表示される。そして、この文字列３４２の下側に、「CLEAR OK?」という横書きの文字列３４４が表示され、この文字列３４４の下側に、「YES」および「NO」という２つの文字列３４６，３４６が横１列に表示される。そして、これら各文字列３４６，３４６のいずれか一方を囲むように、矩形のカーソル３４８が表示される。このカーソル３４８は、音量アップキー２０４および音量ダウンキー２０６の操作によって、任意に移動させることができる。
【００４７】
すなわち、この図８に示す設定クリア画面は、全ての曲のパラメータαおよびβを、デフォルト値に戻すための画面である。具体的には、「YES」という文字列３４６をカーソル３４８で囲んだ状態で再生／停止キー２０２を押下すると、全ての曲についてのパラメータαおよびβの設定値がクリアされる。そして、全ての曲のパラメータαとして“０”が設定されるとともに、パラメータβとして“４”が設定される。すなわち、上述した自動設定画面において、「CD」を選択したときと等価になる。なお、各パラメータαおよびβをデフォルト値に戻すためのデータは、予めＥＥＰＲＯＭ３８内に記憶されている。
【００４８】
一方、「NO」という文字列３４６をカーソル３４８で囲んだ状態で再生／停止キー２０２を押下すると、パラメータαおよびβはクリアされずに、ディスプレイ３６の表示は、図４の設定メニュー画面に戻る。また、図８の状態でモード切替キー２１２を押下した場合にも、パラメータαおよびβはクリアされずに、ディスプレイ３６の表示は、そのまま図４の設定メニュー画面に戻る。
【００４９】
また、図４の設定メニュー画面で、「TRACK」というメニューを選択すると、ディスプレイ３６の表示は、図９に示すようなトラック設定画面に遷移する。同図に示すように、このトラック設定画面においては、上側に、図４の設定メニュー画面で「TRACK」メニューが選択されたことを表す「［TRACK SET］」という横書きの文字列３５２が表示される。そして、この文字列３５２の下側に、「TRACK NO.」および「NEW」という各々横書きの文字列３５４，３５４が縦１列に表示される。さらに、これら各文字列３５４，３５４のいずれか一方を囲むように、矩形のカーソル３５６が表示される。なお、このカーソル３５６もまた、音量アップキー２０４および音量ダウンキー２０６の操作によって、任意に移動させることができる。
【００５０】
ここで、図９に示すように、「TRACK NO」という文字列３５４をカーソル３５６で囲んだ状態で再生／停止キー２０２を押下するとする。すると、ディスプレイ３６の表示は、図１０に示すような既存トラック番号入力画面に遷移する。同図に示すように、この画面においては、上側に、図９のトラック設定画面で「TRACK NO.」が選択されたことを表す「［EX-TRACK SET］」という横書きの文字列３６２が表示される。そして、この文字列３６２の下側に、「SET TRACK NO.」という横書きの文字列３６４が表示される。さらに、この文字列３６４の下側に、カッコ３６６を含む「NO.<  >」という文字列３６８が表示される。なお、カッコ３６６内には、音量アップキー２０８および音量ダウンキー２１０の操作によって、任意の数値を入力することができる。
【００５１】
すなわち、カッコ３６６内に任意の数値を入力した状態で、再生／停止キー２０２を押下すると、ＣＰＵ１８は、当該カッコ３６６内に入力された数値に対応する曲（トラック）のパラメータαおよびβを設定対象して指定する。なお、同図は、トラック番号ｎがｎ＝５番の曲のパラメータαおよびβを設定対象として指定しようとしている状態を示す。このようにして、設定対象とする曲を選択し終えると、ディスプレイ３６の表示は、図１１に示すような個別設定メニュー画面に遷移する。なお、図１０の状態において、再生／停止キー２０２ではなくモード切換キー２１２を押下した場合には、ディスプレイ３６の表示は、図９のトラック設定画面に戻る。また、カッコ３６６内に入力された数値に対応する曲（トラック）がメモリカード１２内に存在しない場合には、図には示さないがディスプレイ３６にその旨を表すメッセージが表示され、その後、ディスプレイ３６の表示は、図１０の状態に戻る。
【００５２】
図１１に示すように、この個別設定メニュー画面においては、上側に、設定対象となる曲（ここでは、トラック番号ｎがｎ＝１の曲）を表す「［TRACK NO.05］」という横書きの文字列３７２が表示される。そして、この文字列３７２の下側に、上述した図４に示す設定メニュー画面と同様の「FIX」，「FLEX」および「CLEAR」という３つのメニューを表す横書きの文字列３７４，３７４，３７４が縦１列に表示される。さらに、これら各文字列３７４，３７４，３７４のいずれか１つを囲むように、矩形のカーソル３７６が表示される。このカーソル３７６もまた、音量アップキー２０４および音量ダウンキー２０６の操作によって、任意に移動させることができる。
【００５３】
この図１０における「FIX」，「FLEX」および「CLEAR」という各メニューは、設定対象を任意の曲に限定した以外は、各々図４におけるものと同様のものである。すなわち、「FIX」メニューを選択すると、上述した図６の固定設定画面における手順と同様の手順で、設定対象である１曲のみについて、パラメータβを“０”〜“９９”の範囲内で任意に設定できる。そして、「FLEX」メニューを選択すると、図７の可変設定画面における手順と同様の手順で、１曲のみについて、パラメータαを“０”〜“３００”の範囲内で任意に設定できる。さらに、「CLEAR」というメニューを選択すると、図８の設定クリア画面における手順と同様の手順で、１曲のみについて、パラメータαおよびβを各々デフォルト値（α＝０，β＝４）に設定する。
【００５４】
また、図９のトラック設定画面において、「NEW」という選択肢を選択した場合、ディスプレイ３６の表示は、図１２に示すような新規トラック番号入力画面に遷移する。同図に示すように、この新規トラック番号入力画面においては、上側に、「[NEW-TRACK SET]」という横書きの文字列３８２が表示される。そして、この文字列３８２の下側に、「SET TRACK NO.」という横書きの文字列３８４が表示される。さらに、この文字列３８４の下側に、カッコ３８６を含む「NO.<  >」という文字列３８８が表示される。このカッコ３８６内には、音量アップキー２０８および音量ダウンキー２１０の操作によって、任意の数値を入力することができる。
【００５５】
すなわち、カッコ３８６内に任意の数値を入力して、再生／停止キー２０２を押下すると、ＣＰＵ１８は、その数値に対応するトラックをメモリカード１２に新規に形成する。そして、この新規のトラックに関するパラメータαおよびβを設定対象とする。これによって、ディスプレイ３６の表示は、上述した図１１と同様の個別設定メニュー画面に遷移する。これ以降は、図１１における手順と同様の手順によって新規のトラックに関するパラメータαおよびβを設定する。なお、カッコ３８６内に入力された数値に対応するトラックがメモリカード１２内に存在する場合には、図には示さないがディスプレイ３６にその旨を表すメッセージが表示され、その後、ディスプレイ３６の表示は図１２の状態に戻る。また、図１２の状態でモード切替キー２１２を押下した場合には、ディスプレイ３６の表示は、図９のトラック設定画面に戻る。
【００５６】
このようにして設定モードにおいて各パラメータαおよびβを設定するとき、ＣＰＵ１８は、図１３〜図２０で示されるフロー図に従う処理を行う。なお、ＣＰＵ１８の動作を制御するための制御プログラムは、図示しないメモリに記憶されている。
【００５７】
図１３を参照して、ＣＰＵ１８は、設定モードに入ると、まず、ステップＳ１において、上述した図４の設定メニュー画面をディスプレイ３６に表示する。そして、ステップＳ３において、いずれのメニューが選択されたのかを判断する。ここで、「AUTO」メニューが選択されると、ＣＰＵ１８は、ステップＳ５の自動設定処理を行う。一方、「FIX」メニューが選択されると、ステップＳ７の固定設定処理を行う。そして、「FLEX」メニューが選択されると、ステップＳ９の可変設定処理を行う。また、「TRACK」メニューが選択されると、ステップＳ１１のトラック設定処理を行い、「CLEAR」メニューが選択されると、ステップＳ１３のクリア処理を行う。そして、これらステップＳ５〜ステップＳ１３のいずれかの処理を実行し終えると、ＣＰＵ１８は、このフロー図を終了して、設定モードを抜ける。
【００５８】
図１４を参照して、自動設定処理においては、ＣＰＵ１８は、ステップＳ２１で、上述した図５の自動設定画面をディスプレイ３６に表示する。そして、ステップＳ２３において、いずれのカテゴリが選択されたのかを判断する。ここで、「CD」が選択されると、ステップＳ２５に進む。そして、このステップＳ２５において、全ての曲について、パラメータαを“０”に設定するとともに、パラメータβを“４”に設定する。そして、この設定後、自動設定処理を終了する。
【００５９】
一方、ステップＳ２３において、「LIVE」が選択されると、ＣＰＵ１８は、ステップＳ２７に進む。そして、このステップＳ２７において、全ての曲について、パラメータαおよびβを“０”に設定する。そして、この設定後、自動設定処理を終了する。
【００６０】
また、ステップＳ２３において、「PRACTICE」が選択されると、ＣＰＵ１８は、ステップＳ２９に進む。そして、このステップＳ２９において、全ての曲について、パラメータαを“１２０”に設定するとともに、パラメータβを“０”に設定した後、この自動設定処理を終了する。
【００６１】
図１５を参照して、固定設定処理においては、ＣＰＵ１８は、ステップＳ３１で、上述した図６の固定設定画面をディスプレイ３６に表示する。そして、ステップＳ３３において、全ての曲について、パラメータαを“０”に設定する。これと同時に、固定設定画面におけるカッコ３２６内に入力された数値に従って、パラメータβを設定する。そして、これら各パラメータαおよびβの設定後、固定設定処理を終了する。
【００６２】
図１６を参照して、可変設定処理においては、ＣＰＵ１８は、ステップＳ４１で、上述した図７の可変設定画面をディスプレイ３６に表示する。そして、ステップＳ４３において、全ての曲について、可変設定画面におけるカッコ３３６内に入力された数値に従って、パラメータαを設定する。これと同時に、パラメータβを“０”に設定する。そして、これらパラメータαおよびβの設定後、可変設定処理を終了する。
【００６３】
図１７を参照して、設定クリア処理においては、ＣＰＵ１８は、ステップＳ５１で、上述した図８の設定クリア画面をディスプレイ３６に表示する。そして、ステップＳ５３に進み、ここで、設定クリア画面において「YES」が選択されたか否かを判断する。このステップＳ５３で「YES」が選択されたと判断すると、ＣＰＵ１８は、ステップＳ５５に進む。そして、このステップＳ５５において、全ての曲のパラメータαおよびβの設定値をクリアするとともに、これらのパラメータαおよびβをデフォルト値に設定する。そして、この設定後、設定クリア処理を終了する。一方、ステップＳ５３において、「NO」が選択されたと判断すると、ＣＰＵ１８は、ステップＳ５５をスキップして、そのまま設定クリア処理を終了する。
【００６４】
図１８を参照して、トラック設定処理においては、ＣＰＵ１８は、ステップＳ６１で、上述した図９のトラック設定画面をディスプレイ３６に表示する。そして、ステップＳ６３に進み、ここで、トラック設定画面上で「TRACK NO.」が選択されたか、それとも「NEW」が選択されたかを判断する。このステップＳ６３において、「TRACK NO.」が選択されたと判断すると、ＣＰＵ１８は、ステップＳ６５の既存トラック設定処理を行う。一方、ステップＳ６３において、「NEW」が選択されたと判断すると、ステップＳ６７の新規トラック設定処理を行う。そして、ステップＳ６５およびステップＳ６７のいずれかの処理を実行し終えると、ＣＰＵは、トラック設定処理を終了する。
【００６５】
図１９を参照して、既存トラック設定処理においては、ＣＰＵ１８は、ステップＳ７１において、上述した図１０の既存トラック番号入力画面をディスプレイ３６に表示する。そして、ステップＳ７３に進み、ここで、既存トラック入力画面で入力されたトラック番号ｎが有効であるか否か、具体的には当該トラック番号ｎに対応するトラックがメモリカード１２内に存在するか否かを判断する。このステップＳ７３において、対応するトラックがメモリカード１２内に存在する（入力されたトラックが有効である）と判断すると、ＣＰＵ１８は、次のステップＳ７５に進む。一方、ステップＳ７３において、対応するトラックがメモリカード１２内に存在しない（入力されたトラック番号が無効である）と判断すると、ＣＰＵ１８は、その旨のメッセージをディスプレイ３６に表示するべくステップＳ７７を処理した後、ステップＳ７１に戻る。
【００６６】
ステップＳ７５において、ＣＰＵ１８は、上述した図１１の個別設定メニュー画面をディスプレイ３６に表示する。そして、ステップＳ７９において、いずれのメニューが選択されたのかを判断する。ここで、「FIX」メニューが選択されると、ＣＰＵ１８は、ステップＳ８１の固定設定処理を行う。一方、「FLEX」メニューが選択されると、ステップＳ８３の可変設定処理を行う。また、「CLEAR」メニューが選択されると、ステップＳ８５のクリア処理を行う。そして、これらステップＳ８１〜ステップＳ８５のいずれかの処理を終えると、ＣＰＵ１８は、この既存トラック設定処理を終了して、設定モードを抜ける。
【００６７】
なお、ステップＳ８１の固定設定処理においては、ＣＰＵ１８は、上述した図１５と同様の処理を実行する。また、ステップＳ８３の可変設定処理においては、上述した図１６と同様の処理を実行する。そして、ステップＳ８５の設定クリア処理においては、図１７と同様の処理を行う。したがって、これらの処置についての詳細な説明は省略する。
【００６８】
図２０を参照して、新規トラック設定処理においては、ＣＰＵ１８は、ステップＳ９１において、上述した図１２の新規トラック番号入力画面をディスプレイ３６に表示する。そして、ステップＳ９３に進み、ここで、新規トラック入力画面で入力されたトラック番号ｎが有効であるか否か、具体的には当該トラック番号ｎに対応するトラックがメモリカード１２内に存在するか否かを判断する。このステップＳ９３において、対応するトラックがメモリカード１２内に存在しない（入力されたトラック番号が有効である）と判断すると、ＣＰＵ１８は、次のステップＳ７５に進む。一方、ステップＳ９３において、対応するトラックがメモリカード１２内に存在する（入力されたトラック番号が無効である）と判断すると、その旨のメッセージをディスプレイ３６に表示するべくステップＳ９７を処理した後、ステップＳ７１に戻る。
【００６９】
ステップＳ９５において、ＣＰＵ１８は、上述の新規トラック番号入力画面で入力されたトラック番号ｎに対応するトラックを、メモリカード１２内に新規に形成する。そして、ステップＳ９９において、図１１と同様の個別設定メニュー画面をディスプレイ３６に表示する。これ以降の処理については、図１９におけるステップＳ７９〜ステップＳ８５の各処理と同様であるので、各々同一符号を付して、詳細な説明を省略する。
【００７０】
次に、図２１を参照して、メモリカード１２に記録された各曲のオーディオデータを再生するときのＣＰＵ１２の動作を説明する。
【００７１】
同図に示すように、再生時においては、ＣＰＵ１２は、まず、ステップＳ１０１において、上述した頭出し操作が事前に成されているか否かを判断する。ここで、頭出し操作されていると判断すると、ステップＳ１０３において、再生順ｍとして頭出しによって指定された番号を設定し、その後、ステップＳ１０５に進む。一方、ステップＳ１０１において、頭出しされていないと判断した場合には、ステップＳ１０７に進み、ここで、再生順インデックスｍをｍ＝０に設定する。そして、このステップＳ１０７を処理した後、ステップＳ１０５に進む。
【００７２】
ステップＳ１０５においては、再生順ｍに対応する曲（トラック）がメモリカード１２内に存在するか否かを判断する。ここで、再生順ｍに対応する曲が存在すると判断すると、ステップＳ１０９に進む。そして、このステップＳ１０９において、再生リストファイル１２８から再生順ｍに対応する曲の再生時間Ｔ(n)を取得した後、ステップＳ１１１において、再生順ｍに対応する曲のパラメータαおよびβを取得する。そして、ステップＳ１１３において、上述した数１に基づいて無音時間ＳＴを算出した後、ステップＳ１１５において、その曲のオーディオデータを再生する。
【００７３】
ステップＳ１１７において、オーディオデータの再生が完了したことを確認すると、ステップＳ１１９に進み、ここで、一旦、再生動作を停止して、無音状態を形成する。そして、ステップＳ１２１において、上述したパワーセーブを開始するよう電源回路３４を制御した後、ステップＳ１２３において、無音時間ＳＴをカウントする。
【００７４】
ステップＳ１２３において、無音時間ＳＴが経過すると、ＣＰＵ１８は、ステップＳ１２５に進み、ここで、パワーセーブを終了するよう電源回路３４を制御する。そして、ステップＳ１２７において、現在の再生順ｍが最後尾の値Ｍに到達したか否かを判断する。ここで、再生順ｍがまだ最後尾の値Ｍに到達していない場合には、ＣＰＵ１８は、次の曲を再生するべく、ステップＳ１２９を処理した後、ステップＳ１０５に戻る。一方、ステップＳ１２７において、現在の再生順ｍが最後尾の値Ｍに到達した場合には、このフロー図の処理を終了する。なお、ステップＳ１０５において、再生順ｍに対応する曲が無いと判断した場合には、ＣＰＵ１８は、直接、ステップＳ１２７に進む。
【００７５】
以上のように、この実施例の携帯型オーディオ再生装置１０によれば、各曲のオーディオデータを再生するときの無音時間ＳＴを任意に設定できる。したがって、再生しようとするオーディオデータの態様に適した無音時間ＳＴを設けることができる。
【００７６】
なお、この実施例では、上述した数１（パラメータαおよびβ）に基づいて無音時間ＳＴを任意に設定するようにしたが、これに限らない。すなわち、数１以外の式、およびパラメータα，βを用いて、無音時間ＳＴを設定するようにしてもよい。
【００７７】
また、図５に示す自動設定画面において、「CD」，「LIVE」および「PRACTICE」という３つのカテゴリを設けたが、これ以外のカテゴリを設けてもよい。
【００７８】
そして、各曲毎のパラメータαおよびβをメモリカード１２（再生リストファイル１２８）内に格納するようにしたが、これに限らない。たとえば、ＥＥＰＲＯＭ３８内に各曲のパラメータαおよびβを格納してもよい。
【００７９】
さらに、オーディオデータを記録する媒体として、メモリカード１２を用いたが、これに代えて、たとえば光磁気ディスクや磁気テープなどの他の記録媒体を用いてもよい。
【００８０】
また、この実施例では、携帯型オーディオ再生装置１０自体で各パラメータαおよびβを設定するようにしたが、これに限らない。たとえば、ＵＳＢ端子４２に図示しないパーソナルコンピュータを接続し、このパーソナルコンピュータによって各パラメータαおよびβを設定するようにしてもよい。この場合、ウィザード形式を採用することによって、各パラメータαおよびβの設定を容易にすることができる。
【図面の簡単な説明】
【図１】この発明の一実施例の概略構成を示すブロック図である。
【図２】図１の実施例におけるメモリカード内の構造を概念的に示す図である。
【図３】図２における再生リストファイルの内容を概念的に示す図である。
【図４】図１の実施例において、無音時間を設定するときの操作手順を説明するための図で、最初の表示画面を示す図である。
【図５】図４の状態において、「AUTO」を選択したときの表示画面を示す図である。
【図６】図４の状態において、「FIX」を選択したときの表示画面を示す図である。
【図７】図４の状態において、「FLEX」を選択したときの表示画面を示す図である。
【図８】図４の状態において、「CLEAR」を選択したときの表示画面を示す図である。
【図９】図４の状態において、「TRACK」を選択したときの表示画面を示す図である。
【図１０】図９の状態において、「TRACK NO.」を選択したときの表示画面を示す図である。
【図１１】図１０の状態において、設定対象とするトラックを指定した後の表示画面を示す図である。
【図１２】図９の状態において、「NEW」を選択したときの表示画面を示す図である。
【図１３】図１の実施例において、無音時間を設定するときのＣＰＵの動作を示すフロー図である。
【図１４】図１３における自動設定処理の詳細を示すフロー図である。
【図１５】図１３における固定設定処理の詳細を示すフロー図である。
【図１６】図１３における可変設定処理の詳細を示すフロー図である。
【図１７】図１３における設定クリア処理の詳細を示すフロー図である。
【図１８】図１３におけるトラック設定処理の詳細を示すフロー図である。
【図１９】図１８における既存トラック設定処理のさらに詳細な処理内容を示すフロー図である。
【図２０】図１８における新規トラック設定処理のさらに詳細な処理内容を示すフロー図である。
【図２１】図１の実施例において、オーディオコンテンツを再生するときのＣＰＵの動作を示すフロー図である。
【符号の説明】
１２…メモリカード
１８…ＣＰＵ
２０…操作キー
２２…ＤＳＰ
３４…電源回路
３６…ディスプレイ
【図１】
0003851103.tif 000002
【図２】
0003851103.tif 000003
【図３】
0003851103.tif 000004
【図４】
0003851103.tif 000005
【図５】
0003851103.tif 000006
【図６】
0003851103.tif 000007
【図７】
0003851103.tif 000008
【図８】
0003851103.tif 000009
【図９】
0003851103.tif 000010
【図１０】
0003851103.tif 000011
【図１１】
0003851103.tif 000012
【図１２】
0003851103.tif 000013
【図１３】
0003851103.tif 000014
【図１４】
0003851103.tif 000015
【図１５】
0003851103.tif 000016
【図１６】
0003851103.tif 000017
【図１７】
0003851103.tif 000018
【図１８】
0003851103.tif 000019
【図１９】
0003851103.tif 000020
【図２０】
0003851103.tif 000021
【図２１】
0003851103.tif 000022